(57)【要約】【課題】本発明は、バーコードと携帯電話等の通信機能を備えた携帯端末とを使用した情報の入力を随時かつ容易に行え、情報受給者に対してリアルタイムに更新された情報を容易に供給することができる情報供給方法に関するものである。【解決手段】サーバ装置に記憶した情報をネットワークを介して情報受給者端末へ供給する情報供給方法において、情報登録者に対しては、主情報に関連付けた主情報バーコードと従情報に関連付けた従情報バーコードから前記主情報、及び従情報をバーコード読取機能を備えた携帯端末から主情報、及び従情報を入力し、該主情報と従情報とを関連付けて逐一記憶する段階とを備え、情報受給者に対して、主情報バーコードから主情報をバーコード読取機能を備えた携帯端末から入力し、該主情報に関連付けて記憶された従情報を読み出し、出力することを特徴とする情報供給方法である。【選択図】図１
2004135025.tif 000002
【特許請求の範囲】
【請求項１】
サーバ装置に記憶した情報をネットワークを介して情報受給者端末へ供給する情報供給方法において、情報登録者に対しては、主情報に関連付けた主情報バーコードと従情報に関連付けた従情報バーコードから前記主情報、及び従情報を読み取り可能なバーコード読取機能を備えた携帯端末からの主情報、及び従情報の入力を促す段階と、入力された主情報と従情報とを関連付けて前記サーバ装置へ逐一記憶する段階とを備え、情報受給者に対しては、主情報の入力を促す段階と、該入力された主情報に関連付けて記憶した従情報を読み出す段階と、該読み出した従情報を出力する段階とを備えることを特徴とする情報供給方法。
【請求項２】
サーバ装置に記憶した情報をネットワークを介して情報受給者端末へ供給する情報供給方法において、情報受給者に対して、主情報と関連付けた主情報バーコードから前記主情報を読み取り可能なバーコード読取機能を備えた携帯端末からの主情報の入力を促す段階と、該入力された主情報に関連付けて記憶された従情報を読み出す段階と、該読み出した従情報を出力する段階とを備えることを特徴とする情報供給方法。
【請求項３】
サーバ装置に記憶した情報をネットワークを介して情報受給者端末へ供給する情報供給方法において、情報登録者に対しては、主情報に関連付けた主情報バーコードと従情報に関連付けた従情報バーコードから前記主情報、及び従情報を読み取り可能なバーコード読取機能を備えた携帯端末からの主情報、及び従情報の入力を促す段階と、入力された主情報と従情報とを関連付けて逐一記憶する段階とを備え、情報受給者に対して、主情報と関連付けた主情報バーコードから前記主情報を読み取り可能なバーコード読取機能を備えた携帯端末からの主情報の入力を促す段階と、該入力された主情報に関連付けて記憶された従情報を読み出す段階と、該読み出した従情報を出力する段階とを備えることを特徴とする情報供給方法。
【請求項４】
情報受給者のバーコード読取機能を備えた携帯端末で読み取るバーコードを施設の案内をするパンフレットに設けたことを特徴とする請求項２又は３に記載の情報供給方法。
【発明の詳細な説明】
【０００１】
【発明の属する技術分野】
本発明は、バーコードと携帯電話等の通信機能を備えた携帯端末とを使用した情報の入力を随時かつ容易に行うことができ、情報受給者に対してリアルタイムに更新された情報を容易に供給することができる情報供給方法に関するものである。
【０００２】
【従来の技術】
遠隔地の情報を、その場所まで行かなくても知りたいと思っている人は多い。例えば遊園地、テーマパーク等の施設内にいる人が、各アトラクションの混み具合（待ち時間）を予め知ることで、効率的に時間を過ごしたいというような要望や、同じ遊園地、テーマパークであれば、パレード、花火、ショー等のイベントの開催、中止情報、開始時間情報、場所情報等を、所定の場所に行かなくても知りたいという要望である。しかし、現実にこれらの情報を得るためには、実際にそのアトラクションに行くか、所定の掲示板等の告知場所に行くかしないと情報を得ることはできず、最近のモバイル環境で自由に必要な情報をえるという活動的な情報供給状況とはかけ離れており、情報を必要としているユーザーには不便であった。
【０００３】
これらの問題点を解消する方法として、施設内の情報（アトラクション、レストラン等の混み具合、イベントの開催時間等）を入場者が持つ携帯電話向けに供給可能とするホームページを設けることもできる。このような情報供給方法であれば、入場者である情報受給者に当該ホームページのユニバーサルリソースロケーター（ＵＲＬ）を、看板、パンフレット等で告知すれば、入場者は当該ホームページにアクセスすることで、ホームページに掲載された各種情報を携帯端末により供給を受けることができる。このホームページのサーバ装置への情報の登録依頼は、施設内の各アトラクション、レストラン等にいる従業員が情報登録者となり、混み具合等の所定の情報を所定時間毎に確認し、電話、ファクシミリを使って前記サーバ装置の管理者に送信し、該管理者がサーバ装置に入力し、記憶装置に登録させるか、又は、前記アトラクション等にいる登録依頼が、通信機能を備えた携帯端末の所定の入力項目に従って前記情報を入力し、前記サーバ装置に送信し記憶装置に登録するという操作で行われる。また、情報受給者は通信機能を備えた携帯端末で前記ホームページにアクセスし、該ホームページに表示される情報提供項目を選び入力することで、情報の供給を得ることが出来る。
【０００４】
【発明が解決しようとする課題】
従来の情報供給方法では、情報登録者の情報の登録に際して、予め決められた情報項目に、入力キーにより文字、数字等の情報をいちいち入力しなければならず、その入力作業は繁雑であった。特に数分おきの情報更新のように短い間隔で情報を更新登録しなければならない状況にあってはなおさらである。また、情報受給者にあっても、これらのアトラクション等をホームページから所望するアトラクション等を探し、選び、入力しなければならず、情報を受給するための操作は煩雑であった。
【０００５】
一方、来園者等である情報受給者においても、必要とする情報を携帯端末から入手しようとする場合にも、必要とする情報を得るまでには複数回の入力手順を行う必要があり煩雑であった。
【０００６】
従って、情報登録者、情報受給者の双方にとって、必要な情報を登録したり、提供を受けることは煩雑であった。
【０００７】
本発明は、上記問題点を解消し、情報の登録を容易に行え、情報の受給を容易に行え、遊園地等の回遊型施設におけるアトラクション、レストラン等の待ち時間の登録、受給にも対応でき、情報の受給に際してアトラクション、レストラン等の入力も容易に行える情報供給方法を提供する。
【０００８】
【課題を解決するための手段】
請求項１の発明は、サーバ装置に記憶した情報をネットワークを介して情報受給者端末へ供給する情報供給方法において、情報登録者に対しては、主情報に関連付けた主情報バーコードと従情報に関連付けた従情報バーコードから前記主情報、及び従情報を読み取り可能なバーコード読取機能を備えた携帯端末からの主情報、及び従情報の入力を促す段階と、入力された主情報と従情報とを関連付けて前記サーバ装置へ逐一記憶する段階とを備え、情報受給者に対しては、主情報の入力を促す段階と、該入力された主情報に関連付けて記憶した従情報を読み出す段階と、該読み出した従情報を出力する段階とを備えることを特徴とする情報供給方法である。
【０００９】
請求項２の発明は、サーバ装置に記憶した情報をネットワークを介して情報受給者端末へ供給する情報供給方法において、情報受給者に対して、主情報と関連付けた主情報バーコードから前記主情報を読み取り可能なバーコード読取機能を備えた携帯端末からの主情報の入力を促す段階と、該入力された主情報に関連付けて記憶された従情報を読み出す段階と、該読み出した従情報を出力する段階とを備えることを特徴とする情報供給方法である。
【００１０】
請求項３の発明は、サーバ装置に記憶した情報をネットワークを介して情報受給者端末へ供給する情報供給方法において、情報登録者に対しては、主情報に関連付けた主情報バーコードと従情報に関連付けた従情報バーコードから前記主情報、及び従情報を読み取り可能なバーコード読取機能を備えた携帯端末からの主情報、及び従情報の入力を促す段階と、入力された主情報と従情報とを関連付けて逐一記憶する段階とを備え、情報受給者に対して、主情報と関連付けたバーコードから前記主情報を読み取り可能なバーコード読取機能を備えた携帯端末からの主情報の入力を促す段階と、該入力された主情報に関連付けて記憶された従情報を読み出す段階と、該読み出した従情報を出力する段階とを備えることを特徴とする情報供給方法である。
【００１１】
請求項４の発明は、情報受給者のバーコード読取機能を備えた携帯端末で読み取るバーコードを施設の案内をするパンフレットに設けたことを特徴とする情報供給方法である。
【００１２】
【発明の実施の形態】
本発明に係わる情報提供方法は遊園地、イベント会場等の回遊型の施設における、アトラクション、レストラン等における入場待ち時間等の供給において顕著に効果が現れる。従って本実施例ではこのような回遊型の施設における情報供給方法を図面に従い詳細に説明する。図１は本実施例のシステム構成図を示すものであり、サーバ装置（１）、情報サーバ装置（２）、情報登録者が保有する携帯端末（１０）、及び情報受給者が保有する携帯端末（２０）からなり、各携帯端末（１０）、（２０）は通信機能を有しており、ネットワークを介してサーバ装置（１）と接続が可能となっている。また、各携帯端末（１０）、（２０）はバーコード読取機能（１１）、（２１）を有している。該バーコード読取機能は携帯端末に内蔵されていても良いが本実施例では別体のバーコード読取機を装着する形態としている。
【００１３】
各携帯端末（１０）、（２０）としては携帯電話、又は無線通信装置を装着した携帯パソコン、パーソナルデジタルアシスタント（ＰＤＡ）等を使用することが出来、ネットワークとしては、無線通信、衛星通信、有線通信等公知のネットワークを使用することが出来る。バーコード読取機（１１）、（２１）は、携帯端末（１０）、（２０）をネットワークに接続するサービスを司るインターネット・サービス・プロバイダ（ＩＳＰ）の電話番号（ＩＳＰ電話番号）、及び情報サーバ装置（２）の情報登録サイトのＵＲＬ（Ｕｎｉｆｏｒｍ　Ｒｅｓｏｕｒｃｅ　Ｌｏｃａｔｏｒ）情報を読み出すためのアクセス情報が予め格納された記憶部を内蔵している。このバーコード読取機の記憶部には、後述するバーコード読取機を用いた主情報、あるいは従情報を一時格納するための情報記憶領域が確保されている。
【００１４】
本実施例では主情報バーコード（３１）は主情報である「０１２３４」等の数字を関連付けてある。これら主情報はサーバ装置（１）において、「メリーゴーランド」、「ゴーカート」等の施設名と一対一に対応して記憶している。前記従情報バーコード（３２）は従情報である「０１２３」等の数字を関連付けてある。これら従情報はサーバ装置（１）において、「待ち時間無し」「１５分待ち」「３０分待ち」「６０分間待ち」「１２０分待ち」「１８０分待ち」等の待ち時間と一対一に対応付けて記憶している。また、バーコードとしては、ＪＡＮ（Ｊａｐａｎ　Ａｒｔｉｃｌｅ　Ｎｕｍｂｅｒ）コードが適用可能であるが、独自のコード形式を適用することも可能である。
【００１５】
遊園地等の回遊型施設におけるアトラクション、レストラン等の施設名称としており、情報サーバ装置（２）は図５に示すように主情報テーブルとして、各主情報バーコードに設定した主情報と施設名、サーバ装置（１）が提供する情報供給用のホームページの所在を示すアドレス情報であるＵＲＬ（Ｕｎｉｆｏｒｍ　ＲｅｓｏｕｒｃｅＬｏｃａｔｏｒ）を関連付けて記憶部に記憶している。また、従情報としては各アトラクション、レストラン等の施設の待ち時間としており、情報サーバ装置（２）は図６に示すように従情報テーブルとして、各従情報バーコードに設定した従情報と待ち時間とを関連付けて記憶部に記憶している。ただし、待ち時間情報は情報量が少ないため、本実施例のように従情報テーブルを設けなくとも、直接従情報自体に待ち時間を設定することもできる。情報サーバ装置（２）は図６に示す主従情報テーブルを記憶部に記憶している。該主従テーブルとは、前記主情報テーブル、従情報テーブルとの結合によって生成される。この主従情報テーブルは各施設に対応したＵＲＬをキーとして作成され、この主従情報テーブルの情報をサーバー装置（１）に送信し、該主従情報テーブルの情報を記憶部に記憶したサーバ装置（１）は、各ＵＲＬ基づき各施設毎のホームページがサーバ装置（１）作成される。サーバ装置（１）と情報サーバ装置（２）の果たす機能を同一のサーバ装置で果たすこともできる。この時は、サーバ装置（１）と情報サーバ装置（２）との通信はサーバ内処理で行われる。
【００１６】
次に本情報供給方法における情報登録方法を説明する。情報登録者は、情報登録において前記携帯端末（１０）、及び図３に示す情報入力用紙（３０）を使用する。該情報入力用紙（３０）には入力開始バーコード（３３）、入力終了バーコード（３４）とサーバ装置（１）に登録をする主情報に関連付けられた主情報バーコード（３１）と従情報に関連付けられた従情報バーコード（３２）とが表示されている。入力開始バーコード（３３）はバーコード読取機（１１）が記憶するＩＳＰの電話番号、情報サーバ装置（２）の情報登録サイトのＵＲＬ情報を読み出すためのアクセス情報が関連付けられている。入力終了バーコード（３４）は携帯端末（１０）と情報サーバ装置（２）とのアクセスを終了するアクセス終了情報と関連付けてある。入力開始バーコード（３３）、入力終了バーコード（３４）は必須要件ではなく、入力開始バーコードに関連付けたアクセス情報は主情報バーコード（３１）に関連付けることもできる。入力開始バーコードを設けることで、主情報バーコードに関連付ける情報の管理が容易になる。また、入力終了バーコード（３４）に関連付けたアクセス終了情報は従情報バーコード（３２）に関連付けることもできる。ただし、入力終了バーコードを設けることで、一回の情報登録操作において複数の従情報を登録する場合に、複数の従情報を連続して登録することを容易に行える。
【００１７】
情報入力用紙（３０）に設けた主情報バーコード（３１）は主情報である「０１２３４」等の数字を関連付けてある。これら主情報はサーバ装置（１）において、「メリーゴーランド」、「ゴーカート」等の施設名と一対一に対応して記憶している。図３に示す情報入力用紙（３０）では、主情報バーコードの内「メリーゴーランド」に対応する主情報バーコードが設けられている。また前記従情報バーコード（３２）は従情報である「０１２３」等の数字を関連付けてある。これら従情報はサーバ装置（１）において、「待ち時間無し」「１５分待ち」「３０分待ち」「６０分間待ち」「１２０分待ち」「１８０分待ち」等の待ち時間と一対一に対応付けて記憶している。本実施例では６個全ての従情報バーコードが設けてある。各待ち時間毎に異なる従情報バーコード（３２）を６種類設けてある。このような情報入力用紙（３０）は各施設毎に設けられる。情報入力用紙（３０）は、このような各施設毎にその施設固有の主情報を表示した情報入力用紙を設ける。従情報は各情報入力用紙で共通とすることもできるし、各施設の待ち時間に特性がある場合は、特有の従情報を設けることもできる。情報入力用紙は全施設の主情報バーコードを一枚の情報入力用紙に設け全施設共用にすることもできる。この様な場合は情報入力用紙を共通に製造できるという製造面での容易性はあるが、情報入力用紙が大きくなり取り扱いが不便になるという問題もある。
【００１８】
各情報の登録の処理手順を図２に示す。情報登録者は、自身の担当する施設の待ち状況を実際に見て確認し、携帯端末（１０）に接続したバーコード読取機（１１）により、情報入力用紙（３０）の入力開始バーコード（３３）からバーコードに関連付けられているアクセス開始情報を読み取る。該アクセス情報を読み取ったバーコード読取機（１１）は、予め記憶しているＩＳＰの電話番号を読み出し、携帯電話に出力する。携帯電話（１０）は、バーコード読取機（１１）から出力された電話番号によりＩＳＰに電話をかけ、ネットワークに接続する。その後、入力開始バーコードから読み取ったＵＲＬに基づき情報サーバ装置（２）の所定のホームページに接続する。
【００１９】
携帯端末（１０）が情報サーバ装置（２）の所定のホームページにに接続すると、該情報サーバ装置（２）は前記携帯端末に対して、主情報の入力を促す画面を表示する。情報登録者は、バーコード読取機（１１）で主情報バーコード（３１）から主情報「３４５６７」を読み取り、携帯端末を介してネットワーク経由で情報サーバ装置（２）に主情報「３４５６７」を送信する。情報サーバ装置（２）は受信した主情報「３４５６７」を、記憶部の図７に示す主従情報テーブルの主情報記憶領域に記憶する。続いて、情報サーバ装置（２）は前記携帯端末に対して、従情報の入力を促す画面を表示する。情報登録者は、従情報バーコード（１６）の中から実際の待ち時間に対応する（近似する）従情報バーコードを選び、バーコード読取機（１１）で従情報バーコードから従情報を読み取り、携帯端末を介してネットワーク経由で情報サーバ装置（２）に従情報を送信する。情報サーバ装置（２）は受信した従情報を、記憶部の図７に示す主従情報テーブルの従情報記憶領域に記憶する。この後、情報登録者は入力完了バーコードからバーコード読取機でアクセス終了情報読み取り、携帯端末とサーバ装置との接続を遮断して情報登録を完了する。この後、情報サーバ装置（２）は主従情報テーブルの情報をサーバ装置（１）に送信し、サーバ装置（１）は主従情報を記憶部に記憶すると共に、各ＵＲＬに基づき各施設毎のホームページを生成する。前述したように入力開始バーコードに関連付けたアクセス情報は主情報バーコードに関連付けることで省略もできるし、入力終了バーコード（３４）に関連付けたアクセス終了情報は従情報バーコード（３２）に関連付け、従情報の登録処理が終了した後、自動的に送信を遮断することもできる。また、携帯端末が本来持つ機能である、例えば通話終了ボタンを押すなどの処理により通信を遮断することもできる。
【００２０】
次に本情報供給方法における情報受給者への情報供給方法を説明する。情報受給者は、情報受給において前記携帯端末（２０）、及び図４に示す情報入力用紙（４０）を使用する。該情報入力用紙（４０）は遊園地等の回遊型施設の案内地図を示すパンフレットである。該情報入力用紙（４０）には入力開始バーコード（４２）、入力終了バーコード（４３）と情報サーバ装置（２）に記憶されている主情報に関連付けられた主情報バーコード（４１）とが表示されている。主情報バーコード（４１）はパンフレットの施設を表す図形の近傍に表示することで、当該施設に対応した主情報の入力処理を直感的に行うことができる。入力開始バーコード（４２）はバーコード読取機（２１）の記憶部が記憶するＩＳＰの電話番号、情報サーバ装置（２）の主情報変換ホームページのＵＲＬ情報を読み出すためのアクセス情報が関連付けられている。入力終了バーコードは携帯端末（２０）とサーバ装置（１）とのアクセスを終了するアクセス終了情報と関連付けてある。入力開始バーコード（４２）、入力終了バーコード（４３）は必須要件ではなく、入力開始バーコード、入力終了バーコードに関連付けたアクセス情報、アクセス終了情報は主情報バーコードに関連付けることもできる。入力開始バーコードを設けることで、主情報バーコードに関連付ける情報の管理が容易になる。また、入力終了バーコードを設けることで、一回の操作において複数の主情報を入力することが容易に行える。
【００２１】
情報入力用紙（４０）に設ける主情報バーコード（４１）は、前記情報入力用紙（３０）に設けた主情報バーコード（３１）と同一であり、主情報である「０１２３４」等の数字を関連付けてある。これら主情報は情報サーバ装置（２）の記憶部の主情報テーブルにて、「メリーゴーランド」、「ゴーカート」等の施設、サーバ装置（１）の各施設の待ち時間情報供給ホームページのＵＲＬと一対一に対応して記憶している。図４に示す情報入力用紙（４０）においては、同用紙に示された施設に対応する全ての主情報バーコード（４１）を、同施設の近傍に設けてある。
【００２２】
各情報の供給の処理手順を図２に示す。情報受給者は、携帯端末（２０）に接続したバーコード読取機（２１）により、情報入力用紙（４０）の入力開始バーコード（４２）からバーコードに関連付けられているアクセス開始情報を読み取る。該アクセス情報を読み取ったバーコード読取機（２１）は、予め記憶しているＩＳＰの電話番号を読み出し、携帯電話に出力する。携帯端末（２０）は、バーコード読取機（２１）から出力された電話番号によりＩＳＰに電話をかけ接続する。バーコード読取機（２１）はＩＳＰとの接続完了後、記憶部に予め格納されているＵＲＬを読み出し、携帯端末（２０）へ出力し、携帯端末は当該ＵＲＬで指定される情報サーバ装置（２）の主従情報入力用のホームページに接続する。
【００２３】
携帯端末（２０）が情報サーバ装置（２）の主従情報入力用のホームページに接続すると、該情報サーバ装置（２）は前記携帯端末に対して、主情報の入力を促す画面を表示する。情報受給者は、待ち時間を知りたい施設を情報入力用紙（４０）から選び、当該施設に対応する主情報バーコード（４１）からバーコード読取機（２１）で主情報「３４５６」を読み取り、携帯端末を介してネットワーク経由でサーバ装置（１）に主情報「３４５６」を送信する。サーバ装置（１）は受信した主情報「３４５６」に該当する情報を、記憶部の図７に示す主従情報テーブルの主情報記憶領域から検索する。検索の結果、該施設・待ち情報テーブルから主情報「３４５６」に対応するＵＲＬ「ｗｗｗ．ａａａ．４４４・・・」を検索し、読み出す。そして、該ＵＲＬ「ｗｗｗ．ａａａ．４４４・・・」を携帯端末（２０）へ送信する。ＵＲＬ「ｗｗｗ．ａａａ．４４４・・・」を受信した携帯端末（２０）は、サーバ装置（１）のＵＲＬ「ｗｗｗ．ａａａ．４４４・・・」に設定された、施設「メリーゴーランド」の待ち時間情報供給ホームページへ接続する。サーバ装置（１）は「メリーゴーランド」の待ち時間情報供給ホームページに記憶した待ち時間情報「０６０分（待ち）」情報を携帯端末（２０）に送信する。
【００２４】
施設名、待ち時間を受信した携帯端末（２０）は図８に示すように表示画面に、施設名「メリーゴーランド」、待ち時間「０６０」を表示する。情報受給者はこの画面を見て、当該施設の待ち時間を確認する。この時、サーバ装置（１）の施設名・待ち時間テーブルから読み出す情報として施設名情報も読み出し、送信することで、携帯端末の表示画面に施設名と待ち時間を同時に表示できるため、情報受給者の確認をより正確に行うことができる。
【００２５】
この後、情報受給者は入力完了バーコード（４３）からバーコード読取機でアクセス終了情報読み取り、携帯端末とサーバ装置との接続を遮断して情報受給を完了する。前述したように入力開始バーコード（４２）に関連付けたアクセス情報、入力終了バーコード（４３）に関連付けたアクセス終了情報は主情報バーコード（４１）に関連付け、情報の供給処理が終了した後、所定時間後に自動的に送信を遮断することもできる。また、携帯端末が本来持つ機能である、例えば通話終了ボタンを押すなどの処理により通信を遮断することもできる。
【００２６】
本発明では、主情報と従情報の例を以下に示す。本情報供給方法を使用する場所を遊園地、テーマパーク、イベント会場、展示会場のような回遊型の施設とした場合、主情報としては施設名、レストラン名であり、この場合従情報としては、待ち時間を設定できる。この他に、主情報をレストラン名とし、従情報をメニュー、料金、お勧め料理等に設定できる。主情報としてイベントとし、従情報をイベントとして開催される各種アトラクション名、例えばパレード、ショー、花火に設定でき、従情報としては併せて各アトラクションの開催場所、時間等のインフォメーションを設定できる。また主情報をマスコット名とした場合は、従情報としてマスコットの出現場所、出現時間等のインフォメーションに設定できる。主情報を鉄道、バス等の駅名とし、従情報を現在の時間から近い複数の発車時刻に設定できる。
【００２７】
【発明の効果】
請求項１の発明は、情報登録者は遊園地等の各施設に関係のある待ち時間情報等を、携帯端末、バーコード読取機を用いて、主情報バーコード、従情報バーコードから簡単な操作で入力することができ、サーバ装置に記憶させることができるため、当該施設等の近傍、又は自由な場所から情報の登録、更新が随時容易に行える。
【００２８】
請求項２の発明では、情報受給者は遊園地等の各施設に関係のある待ち時間情報等を、携帯端末、バーコード読取機を用いて、主情報バーコードから簡単な操作で入力することができ、サーバ装置から主情報に関連付けた当該施設の待ち時間等の従情報を容易に供給を受けることができるため、情報受給者は場所、時間を選ばずに必要とする情報の供給を受けることが出来る。
【００２９】
請求項３の発明では、情報登録者が主情報に関連付けてサーバ装置に記憶した従情報を、情報受給者に対して、情報登録、更新直後からリアルタイムに供給することができ、情報受給者は場所、時間を選ばずに最新情報の供給を受けることが出来る。
【００３０】
請求項４の発明では、通常施設内で使用するパンフレットに主情報バーコードを設けたため、容易に主情報の入力をすることができ、必要とする従情報の供給を受けることが出来る。
【図面の簡単な説明】
【図１】本発明の一実施例に係わるネットワーク構成図である。
【図２】本発明の一実施例に係わる情報供給方法の手順を示すシーケンスチャートである。
【図３】本発明の一実施例に係わる情報登録者用の情報入力用紙を示す図である。
【図４】本発明の一実施例に係わる情報受給者用の情報入力用紙を示す図である。
【図５】本発明の一実施例に係わる主情報テーブルのデータ構造例を示す図である。
【図６】本発明の一実施例に係わる従情報テーブルのデータ構造例を示す図である。
【図７】本発明の一実施例に係わる主従情報テーブルのデータ構造例を示す図である。
【図８】本発明の１実施例に係わる情報受給者の携帯端末の表示画面を示す図である。
【符号の説明】
１・・・サーバ装置
１０、２０・・・携帯端末
１１、２１・・・バーコード読取機
３０、４０・・・情報入力用紙
３１、４１・・・主情報バーコード
３２・・・従情報バーコード
【図１】
2004135025.tif 000003
【図２】
2004135025.tif 000004
【図３】
2004135025.tif 000005
【図４】
2004135025.tif 000006
【図５】
2004135025.tif 000007
【図６】
2004135025.tif 000008
【図７】
2004135025.tif 000009
【図８】
2004135025.tif 000010